(57)【要約】【課題】手乾燥装置において、霧化ミストを吹き出し部および本体内部に噴出することを目的としている。【解決手段】側面に開口を備えた手挿入空間１Ａを有した本体１と、この手挿入空間１Ａの上側に挿入された手に風を当てる第１の吹き出し部２と、内部側面に風をあてる第２の吹き出し部８と、手挿入空間１Ａに挿入された手を検知する検知手段３と、第１の吹き出し部２および第２の吹き出し部８に風を送る送風手段４と、第１の吹き出し部２および第２の吹き出し部８と送風手段４との間に静電ミストを発生させる静電霧化装置５と、検知手段３の検知結果が入力され送風手段４と静電霧化装置５を制御する制御手段６とを備え、検知手段３によって手を検知したときに送風手段４と静電霧化装置５を動作させることができる。【選択図】図３
2012019809.tif 000002
【特許請求の範囲】
【請求項１】
側面に開口を備えた手挿入空間を有した本体と、この手挿入空間の上側に挿入された手に風を当てる第１の吹き出し部と、前記手挿入空間に挿入された手を検知する検知手段と、前記第１の吹き出し部に風を送る送風手段と、前記第１の吹き出し部と前記送風手段との間に静電ミストを発生させる静電霧化装置と、前記検知手段の検知結果が入力され前記送風手段と静電霧化装置を制御する制御手段とを備えた手乾燥装置。
【請求項２】
前記制御手段は、前記検知手段によって手を検知したときに、前記送風手段と静電霧化装置を動作させる請求項１記載の手乾燥装置。
【請求項３】
前記本体の上部に操作部を備え、前記操作部を操作することによって、前記制御手段は、前記検知手段によって手を検知した場合に、前記静電霧化装置を任意の一定時間動作させずに、前記送風手段のみを動作させ、一定時間が経過すると、前記静電霧化装置を動作させる請求項１記載の手乾燥装置。
【請求項４】
前記制御手段は、前記検知手段によって挿入された手を検知しなくなると、前記静電霧化装置は動作させたまま、直ちに前記送風手段の運転状態を変化させるとともに、任意の一定時間が経過すると、前記送風手段と静電霧化装置を停止させる請求項１から請求項３に記載の手乾燥装置。
【請求項５】
前記制御手段は、前記操作部を操作することによって、前記検知手段によって手を検知した場合に、前記静電霧化装置を任意の一定期間動作させずに、前記送風手段のみを動作させ、前記一定期間が経過すると、前記静電霧化装置と前記送風手段を動作させるとともに、前記検知手段によって挿入された手を検知しなくなると、前記静電霧化装置は動作させたまま、直ちに前記送風手段の運転状態を変化させるとともに、任意の一定時間が経過すると、前記送風手段と静電霧化装置を停止させる請求項１、または請求項３に記載の手乾燥装置。
【請求項６】
側面に開口を備えた手挿入空間を有した本体と、この手挿入空間の上側に挿入された手に風を当てる第１の吹き出し部と、本体内部側面に風をあてる第２の吹き出し部と、前記手挿入空間に挿入された手を検知する検知手段と、前記第１の吹き出し部および前記第２の吹き出し部に風を送る送風手段と、前記第１の吹き出し部および前記第２の吹き出し部と前記送風手段との間に静電ミストを発生させる静電霧化装置と、前記検知手段の検知結果が入力され前記送風手段と静電霧化装置を制御する制御手段とを備え、前記検知手段によって手を検知したときに前記送風手段と静電霧化装置を動作させる手乾燥装置。
【請求項７】
前記第１の吹き出し部より吹き出す風を調整するダンパーと、前記本体の上部に第２の操作部を備え、前記第２の操作部を操作することによって、前記制御手段は、前記検知手段によって手を検知したときに前記送風手段を動作させて前記第１の吹き出し部および前記第２の吹き出し部から風を吹き出させるとともに、静電霧化装置を動作させた後、前記検知手段によって手を検知しなくなると、直ちに前記送風手段の運転状態を変化させるとともに、前記ダンパーを閉じ、前記第１の吹き出し部より風が吹き出さないようにし、任意の一定時間が経過すると、前記送風手段と静電霧化装置を停止させる請求項６に記載の手乾燥装置。
【請求項８】
前記本体の上部に操作部および第２の操作部を備え、前記制御手段は、前記操作部を操作することによって、前記検知手段によって手を検知した場合に、前記静電霧化装置を任意の一定期間動作させずに、前記送風手段のみを動作させて前記第１の吹き出し部および前記第２の吹き出し部から風を吹き出させ、前記一定時間が経過すると、前記静電霧化装置と前記送風手段を動作させるとともに、前記第２の操作部を操作することによって、前記検知手段によって挿入された手を検知しなくなると、前記静電霧化装置は動作させたまま、直ちに前記送風手段の運転状態を変化させるとともに、前記ダンパーを閉じ、前記第１の吹き出し部より風が吹き出さないようにし、任意の一定時間が経過すると、前記送風手段と静電霧化装置を停止させる請求項６に記載の手乾燥装置。
【請求項９】
前記操作部に、静電霧化装置操作部を備え、前記静電霧化操作部を操作することにより、手乾燥装置が停止の状態である場合に、前記制御手段は、前記送風手段と前記静電霧化装置を動作させる請求項１または請求項６または請求項７に記載の手乾燥装置。
【請求項１０】
前記静電霧化操作部を操作することにより、さらに前記第２の操作部を操作することによって、手乾燥装置が停止の状態である場合に、前記制御手段は、前記送風手段と前記静電霧化装置を動作させ、また前記ダンパーを閉じることで、第２の吹き出し部からのみ、風が吹き出させるようにした請求項７または請求項９に記載の手乾燥装置。
【請求項１１】
側面に開口を備えた手挿入空間を有した本体と、この手挿入空間の上側に挿入された手に風を当てる第１の吹き出し部と、本体周辺に風を吹き出す第３の吹き出し部と、前記手挿入空間に挿入された手を検知する検知手段と、前記第１の吹き出し部および前記第３の吹き出し部に風を送る送風手段と、前記第１の吹き出し部および前記第３の吹き出し部と前記送風手段との間に静電ミストを発生させる静電霧化装置と、前記検知手段で手を検知し、検知結果が入力され、前記送風手段と静電霧化装置を動作させる制御手段とを備え、前記検知手段によって手を検知したときに前記送風手段と静電霧化装置を動作させる手乾燥装置。
【請求項１２】
前記操作部に、静電霧化装置操作部を備え、前期静電霧化操作部を操作することにより、前記送風手段と前記静電霧化装置を動作させる請求項１１記載の手乾燥装置。
【発明の詳細な説明】
【技術分野】
【０００１】
本発明は、乾燥室に挿入された手を検知して乾燥させる手乾燥装置に関する。
【背景技術】
【０００２】
従来、この種の手乾燥装置では、手の隅々にまで殺菌処理を施すことのできるものが発明されている（例えば特許文献１参照）。
【０００３】
以下、この手乾燥装置について図５を参照にしながら説明する。
【０００４】
図５において、ハンドドライヤー（手乾燥装置）は、手挿入口１０１を有した手挿入凹部１０２内に乾燥領域Ａを設け、手挿入口１０１の近傍に吹出口１０３を設けると共に、吹出口１０３より手挿入凹部１０２の奥方に静電霧化装置１０４を配設している。これによると、吹出口１０３より手挿入凹部１０２の奥側で放出された霧化ミストは手挿入口１０１付近の乾燥用風で遮られて手挿入凹部１０２の外へ拡散しないようにでき、乾燥領域Ａ内に霧化ミストを高濃度に保つことができて、霧化ミストの諸効果を効果的に手や乾燥領域Ａに付与できる。特に、手は手挿入口１０１から手挿入凹部１０２の奥方に挿入されるから、手挿入口１０１付近で乾燥用風にて乾燥させた後の手に対して霧化ミストを効率よく浸透させることができるのであって、保湿効果を効果的に付与できる。
【先行技術文献】
【特許文献】
【０００５】
【特許文献１】特開２００８−２３７６０９号公報
【発明の概要】
【発明が解決しようとする課題】
【０００６】
このような従来の手乾燥装置では、挿入された手に対して、霧化ミストを浸透させることが目的であるので、手乾燥装置本体、特に吹出口の脱臭、菌の不活性化、除菌等を行うことができないという課題があった。
【０００７】
また、手挿入空間がある手乾燥装置においては、手挿入空間内部の脱臭、菌の不活性化、除菌等を行うことができないという課題があった。
【０００８】
本発明は、上記従来の課題を解決するのもで、吹出口および手挿入空間内部の脱臭、菌の不活性化、除菌等を行うことができる手乾燥装置を提供できること目的としている。
【課題を解決するための手段】
【０００９】
本発明の手乾燥装置は上記目的を達成するために、側面に開口を備えた手挿入空間を有した本体と、この手挿入空間の上側に挿入された手に風を当てる第１の吹き出し部と、手挿入空間に挿入された手を検知する検知手段と、第１の吹き出し部に風を送る送風手段と、第１の吹き出し部と送風手段との間に静電ミストを発生させる静電霧化装置と、前記検知手段の検知結果が入力され送風手段と静電霧化装置を制御する制御手段を設ける構成としたものである。
【００１０】
この手段により、吹き出し部（吹出口）の脱臭、菌の不活性化、除菌等を行うことができる。
【００１１】
また、他の手段によれば、制御手段は、検知手段によって手を検知したときに、前記送風手段と静電霧化装置を動作させる構成としたものである。
【００１２】
この手段により、吹き出し部（吹出口）の脱臭、菌の不活性化、除菌等を行うことができる。
【００１３】
また、他の手段によれば、本体の上部に操作部を備え、操作部を操作することによって、制御手段は、検知手段によって手を検知した場合に、静電霧化装置を任意の一定時間動作させずに、送風手段のみを動作させ、一定時間が経過すると、前記静電霧化装置を動作させる構成としたものである。
【００１４】
この手段により、吹き出し部（吹出口）の脱臭、菌の不活性化、除菌等を行うことができ、また菌が蓄積された場合に静電霧化装置を動作させるので、省エネを行うことができる。
【００１５】
また、他の手段によれば、制御手段は、検知手段によって挿入された手を検知しなくなると、静電霧化装置は動作させたまま、直ちに送風手段の運転状態を変化させるとともに、任意の一定時間が経過すると、送風手段と静電霧化装置を停止させる構成としたものである。
【００１６】
この手段により、吹き出し部（吹出口）の脱臭、菌の不活性化、除菌等を行うことができ、また挿入された手の乾燥後においても、吹き出し部の脱臭、菌の不活性化、除菌等を行うことができる。
【００１７】
また、他の手段によれば、制御手段は、操作部を操作することによって、検知手段によって手を検知した場合に、静電霧化装置を任意の一定期間動作させずに、送風手段のみを動作させ、一定期間が経過すると、静電霧化装置と送風手段を動作させるとともに、検知手段によって挿入された手を検知しなくなると、静電霧化装置は動作させたまま、直ちに送風手段の運転状態を変化させるとともに、任意の一定時間が経過すると、送風手段と静電霧化装置を停止させる構成としたものである。
【００１８】
この手段により、この手段により、吹き出し部（吹出口）の脱臭、菌の不活性化、除菌等を行うことができ、また菌が蓄積された場合に静電霧化装置を動作させるので、省エネを行うことができる。さらに挿入された手の乾燥後においても、吹き出し部の脱臭、菌の不活性化、除菌等を行うことができる。
【００１９】
また、他の手段は、側面に開口を備えた手挿入空間を有した本体と、この手挿入空間の上側に挿入された手に風を当てる第１の吹き出し部と、内部側面に風をあてる第２の吹き出し部と、手挿入空間に挿入された手を検知する検知手段と、第１の吹き出し部および第２の吹き出し部に風を送る送風手段と、第１の吹き出し部および第２の吹き出し部と前記送風手段との間に静電ミストを発生させる静電霧化装置と、検知手段の検知結果が入力され送風手段と静電霧化装置を制御する制御手段とを備え、検知手段によって手を検知したときに送風手段と静電霧化装置を動作させる構成としたものである。
【００２０】
この手段により、吹き出し部（吹出口）および手挿入空間内部の脱臭、菌の不活性化、除菌等を行うことができる。
【００２１】
また、他の手段によれば、第１の吹き出し部より吹き出す風を調整するダンパーと、本体の上部に第２の操作部を備え、第２の操作部を操作することによって、制御手段は、検知手段によって手を検知したときに送風手段を動作させて第１の吹き出し部および第２の吹き出し部から風を吹き出させるとともに、静電霧化装置を動作させた後、検知手段によって手を検知しなくなると、直ちに送風手段の運転状態を変化させるとともに、ダンパーを閉じ、第１の吹き出し部より風が吹き出さないようにし、第２の吹き出し部から風を吹き出させて、任意の一定時間が経過すると、送風手段と静電霧化装置を停止させる構成としたものである。
【００２２】
この手段により、手挿入空間内部のみの脱臭、菌の不活性化、除菌等を行うことができる。
【００２３】
また、他の手段によれば、本体の上部に操作部および第２の操作部を備え、制御手段は、操作部を操作することによって、検知手段によって手を検知した場合に、静電霧化装置を任意の一定期間動作させずに、送風手段のみを動作させて第１の吹き出し部および第２の吹き出し部から風を吹き出させ、一定時間が経過すると、静電霧化装置と送風手段を動作させるとともに、第２の操作部を操作することによって、検知手段によって挿入された手を検知しなくなると、静電霧化装置は動作させたまま、直ちに前記送風手段の運転状態を変化させるとともに、ダンパーを閉じ、第１の吹き出し部より風が吹き出さないようにし、第２の吹き出し部から風を吹き出させて、任意の一定時間が経過すると、送風手段と静電霧化装置を停止させる構成としたものである。
【００２４】
この手段により、手挿入空間内部のみの脱臭、菌の不活性化、除菌等を行うことができ、また菌が蓄積された場合に静電霧化装置を動作させるので、省エネを行うことができる。
【００２５】
また、他の手段によれば、操作部に、静電霧化装置操作部を備え、静電霧化操作部を操作することにより、手乾燥装置が停止の状態である場合に、制御手段は、送風手段と静電霧化装置を動作させる構成としたものである。
【００２６】
この手段により、使用者が任意に吹き出し部（吹出口）および手挿入空間内部の脱臭、菌の不活性化、除菌等を行うことができる。
【００２７】
また、他の手段によれば、静電霧化操作部を操作することにより、さらに第２の操作部を操作することによって、手乾燥装置が停止の状態である場合に、制御手段は、送風手段と静電霧化装置を動作させ、またダンパーを閉じることで、第２の吹き出し部からのみ、風が吹き出させる構成としたものである。
【００２８】
この手段により、使用者が任意に手挿入空間内部のみの脱臭、菌の不活性化、除菌等を行うことができる。
【００２９】
また、他の手段は、側面に開口を備えた手挿入空間を有した本体と、この手挿入空間の上側に挿入された手に風を当てる第１の吹き出し部と、本体周辺に風を吹き出す第３の吹き出し部と、手挿入空間に挿入された手を検知する検知手段と、第１の吹き出し部および第３の吹き出し部に風を送る送風手段と、第１の吹き出し部および第３の吹き出し部と送風手段との間に静電ミストを発生させる静電霧化装置と、検知手段の検知結果が入力され送風手段と静電霧化装置を動作させる制御手段とを備え、検知手段によって手を検知したときに送風手段と静電霧化装置を動作させる構成としたものである。
【００３０】
この手段により、吹き出し部（吹出口）の脱臭、菌の不活性化、除菌等を行うことができ、また手乾燥装置周辺の脱臭、菌の不活性化、除菌等を行うことができる。
【００３１】
また、他の手段は、操作部に、静電霧化装置操作部を備え、静電霧化操作部を操作することにより、送風手段と静電霧化装置を動作させる構成としたものである。
【００３２】
この手段により、使用者が任意に吹き出し部（吹出口）および手乾燥装置周辺の脱臭、菌の不活性化、除菌等を行うことができる。
【発明の効果】
【００３３】
本発明によれば、側面に開口を備えた手挿入空間を有した本体と、この手挿入空間の上側に挿入された手に風を当てる第１の吹き出し部と、手挿入空間に挿入された手を検知する検知手段と、第１の吹き出し部に風を送る送風手段と、第１の吹き出し部と送風手段との間に静電ミストを発生させる静電霧化装置と、検知手段の検知結果が入力され送風手段と静電霧化装置を制御する制御手段を設ける構成としたものであり、この構成により、吹き出し部（吹出口）の脱臭、菌の不活性化、除菌等を行うことができるという効果を奏する。
【００３４】
また、側面に開口を備えた手挿入空間を有した本体と、この手挿入空間の上側に挿入された手に風を当てる第１の吹き出し部と、内部側面に風をあてる第２の吹き出し部と、手挿入空間に挿入された手を検知する検知手段と、第１の吹き出し部および第２の吹き出し部に風を送る送風手段と、第１の吹き出し部および第２の吹き出し部と前記送風手段との間に静電ミストを発生させる静電霧化装置と、検知手段の検知結果が入力され送風手段と静電霧化装置を制御する制御手段とを備え、検知手段によって手を検知したときに送風手段と静電霧化装置を動作させる構成としたものであり、この構成により、吹き出し部（吹出口）および手挿入空間内部の脱臭、菌の不活性化、除菌等を行うことができるという効果を奏する。
【００３５】
また、他の手段は、側面に開口を備えた手挿入空間を有した本体と、この手挿入空間の上側に挿入された手に風を当てる第１の吹き出し部と、本体周辺に風を吹き出す第３の吹き出し部と、手挿入空間に挿入された手を検知する検知手段と、第１の吹き出し部および第３の吹き出し部に風を送る送風手段と、第１の吹き出し部および第３の吹き出し部と送風手段との間に静電ミストを発生させる静電霧化装置と、検知手段の検知結果が入力され送風手段と静電霧化装置を動作させる制御手段とを備え、検知手段によって手を検知したときに送風手段と静電霧化装置を動作させる構成としたものであり、この構成により、吹き出し部（吹出口）および手乾燥装置周辺の脱臭、菌の不活性化、除菌等を行うことができ、また手乾燥装置周辺の脱臭、菌の不活性化、除菌等を行うことができるという効果を奏する。
【図面の簡単な説明】
【００３６】
【図１】本発明の実施の形態１の手検知乾燥装置の構成を示す概略図
【図２】本発明の実施の形態２の手検知乾燥装置の構成を示す概略図
【図３】本発明の実施の形態４の手検知乾燥装置の構成を示す概略図
【図４】本発明の実施の形態６の手検知乾燥装置の構成を示す概略図
【図５】従来の手検知乾燥装置の構成を示す概略図
【発明を実施するための形態】
【００３７】
本発明の請求項１の発明は、側面に開口を備えた手挿入空間を有した本体と、この手挿入空間の上側に挿入された手に風を当てる第１の吹き出し部と、手挿入空間に挿入された手を検知する検知手段と、第１の吹き出し部に風を送る送風手段と、第１の吹き出し部と送風手段との間に静電ミストを発生させる静電霧化装置と、検知手段の検知結果が入力され送風手段と静電霧化装置を制御する制御手段を設ける構成としたものであり、この構成にすることにより、吹き出し部（吹出口）の脱臭、菌の不活性化、除菌等を行うことができるという作用を有する。
【００３８】
また本発明の請求項２の発明によれば、制御手段は、検知手段によって手を検知したときに、送風手段と静電霧化装置を動作させる構成としたものであり、検知手段によって手を検知した場合に、吹き出し部（吹出口）の脱臭、菌の不活性化、除菌等を行うことができるという作用を有する。
【００３９】
また本発明の請求項３の発明によれば、本体の上部に操作部を備え、操作部を操作することによって、制御手段は、検知手段によって手を検知した場合に、静電霧化装置を任意の一定時間動作させずに、送風手段のみを動作させ、一定時間が経過すると、静電霧化装置を動作させる構成としたものであり、吹き出し部（吹出口）の脱臭、菌の不活性化、除菌等を行うことができ、また菌が蓄積された場合に静電霧化装置を動作させるので、省エネを行うことができるという作用を有する。
【００４０】
また本発明の請求項４の発明によれば、制御手段は、検知手段によって挿入された手を検知しなくなると、静電霧化装置は動作させたまま、直ちに送風手段の運転状態を変化させるとともに、任意の一定時間が経過すると、送風手段と静電霧化装置を停止させる構成としたものであり、吹き出し部（吹出口）の脱臭、菌の不活性化、除菌等を行うことができ、また挿入された手の乾燥後においても、吹き出し部の脱臭、菌の不活性化、除菌等を行うことができるといる作用を有する。
【００４１】
本発明の請求項５の発明によれば、制御手段は、操作部を操作することによって、検知手段によって手を検知した場合に、静電霧化装置を任意の一定期間動作させずに、送風手段のみを動作させ、一定期間が経過すると、静電霧化装置と送風手段を動作させるとともに、検知手段によって挿入された手を検知しなくなると、静電霧化装置は動作させたまま、直ちに送風手段の運転状態を変化させるとともに、任意の一定時間が経過すると、送風手段と静電霧化装置を停止させる構成としたものであり、吹き出し部（吹出口）の脱臭、菌の不活性化、除菌等を行うことができ、また菌が蓄積された場合に静電霧化装置を動作させるので、省エネを行うことができる。さらに挿入された手の乾燥後においても、吹き出し部の脱臭、菌の不活性化、除菌等を行うことができるという作用を有する。
【００４２】
また本発明の請求項６の発明は、側面に開口を備えた手挿入空間を有した本体と、この手挿入空間の上側に挿入された手に風を当てる第１の吹き出し部と、内部側面に風をあてる第２の吹き出し部と、手挿入空間に挿入された手を検知する検知手段と、第１の吹き出し部および第２の吹き出し部に風を送る送風手段と、第１の吹き出し部および第２の吹き出し部と前記送風手段との間に静電ミストを発生させる静電霧化装置と、検知手段の検知結果が入力され送風手段と静電霧化装置を制御する制御手段とを備え、検知手段によって手を検知したときに送風手段と静電霧化装置を動作させる構成としたものであり、吹き出し部（吹出口）および手挿入空間内部の脱臭、菌の不活性化、除菌等を行うことができるという作用を有する。
【００４３】
また本発明の請求項７の発明によれば、第１の吹き出し部より吹き出す風を調整するダンパーと、本体の上部に第２の操作部を備え、第２の操作部を操作することによって、制御手段は、検知手段によって手を検知したときに送風手段を動作させて第１の吹き出し部および第２の吹き出し部から風を吹き出させるとともに、静電霧化装置を動作させた後、検知手段によって手を検知しなくなると、直ちに前記送風手段の運転状態を変化させるとともに、ダンパーを閉じ、第１の吹き出し部より風が吹き出さないようにし、第２の吹き出し部から風を吹き出させて、任意の一定時間が経過すると、送風手段と静電霧化装置を停止させる構成としたものであり、手挿入空間内部のみの脱臭、菌の不活性化、除菌等を行うことができるという作用を有する。
【００４４】
また本発明の請求項８の発明によれば、本体の上部に操作部および第２の操作部を備え、制御手段は、操作部を操作することによって、検知手段によって手を検知した場合に、静電霧化装置を任意の一定期間動作させずに、送風手段のみを動作させて第１の吹き出し部および第２の吹き出し部から風を吹き出させ、一定時間が経過すると、静電霧化装置と送風手段を動作させるとともに、第２の操作部を操作することによって、検知手段によって挿入された手を検知しなくなると、静電霧化装置は動作させたまま、直ちに送風手段の運転状態を変化させるとともに、ダンパーを閉じ、第１の吹き出し部より風が吹き出さないようにし、第２の吹き出し部から風を吹き出させて、任意の一定時間が経過すると、送風手段と静電霧化装置を停止させる構成としたものであり、手挿入空間内部のみの脱臭、菌の不活性化、除菌等を行うことができ、また菌が蓄積された場合に静電霧化装置を動作させるので、省エネを行うことができるという作用を有する。
【００４５】
また本発明の請求項９の発明によれば、操作部に、静電霧化装置操作部を備え、静電霧化操作部を操作することにより、手乾燥装置が停止の状態である場合に、制御手段は、送風手段と静電霧化装置を動作させる構成としたものであり、使用者が任意に吹き出し部（吹出口）および手挿入空間内部の脱臭、菌の不活性化、除菌等を行うことができるという作用を有する。
【００４６】
また本発明の請求項１０の発明によれば、静電霧化操作部を操作することにより、さらに第２の操作部を操作することによって、手乾燥装置が停止の状態である場合に、制御手段は、送風手段と静電霧化装置を動作させ、またダンパーを閉じることで、第２の吹き出し部からのみ、風が吹き出させる構成としたものであり、使用者が任意に手挿入空間内部のみの脱臭、菌の不活性化、除菌等を行うことができるという作用を有する。
【００４７】
また本発明の請求項１１の発明は、側面に開口を備えた手挿入空間を有した本体と、この手挿入空間の上側に挿入された手に風を当てる第１の吹き出し部と、本体周辺に風を吹き出す第３の吹き出し部と、手挿入空間に挿入された手を検知する検知手段と、第１の吹き出し部および第３の吹き出し部に風を送る送風手段と、第１の吹き出し部および第３の吹き出し部と送風手段との間に静電ミストを発生させる静電霧化装置と、検知手段の検知結果が入力され送風手段と静電霧化装置を動作させる制御手段とを備え、検知手段によって手を検知したときに送風手段と静電霧化装置を動作させる構成としたものであり、吹き出し部（吹出口）の脱臭、菌の不活性化、除菌等を行うことができ、また手乾燥装置周辺の脱臭、菌の不活性化、除菌等を行うことができるという作用を有する。
【００４８】
また本発明の請求項１２の発明は、操作部に、静電霧化装置操作部を備え、静電霧化操作部を操作することにより、送風手段と静電霧化装置を動作させる構成としたものであり、使用者が任意に吹き出し部（吹出口）および手乾燥装置周辺の脱臭、菌の不活性化、除菌等を行うことができるという作用を有する。
【００４９】
以下、本発明の実施の形態について図面を参照しながら説明する。
【００５０】
（実施の形態１）
図１に示すように、側面に開口を備えた手挿入空間１Ａを有した本体１内に、この手挿入空間１Ａの上側に挿入された手に風を当てる第１の吹き出し部２と、手挿入空間１Ａに挿入された手を検知する検知手段３、第１の吹き出し部２に風を送る送風手段４と、第１の吹き出し部２と送風手段４との間に静電ミストを発生させる静電霧化装置５と、検知手段３の検知結果が入力され送風手段４と静電霧化装置５を制御する制御手段６を構成する。
【００５１】
そして、検知手段３は、例えば、赤外線受光素子を用いて、手挿入空間１Ａに挿入された手を検知することができ、制御手段６に情報を伝えることができる構成となっている（図示せず）。検知手段３は、挿入された手を検知する手段であれば、他の方法でも構わない。
【００５２】
また、第１の吹き出し部２は吹き出し部として開口部を絞って風速をあげるノズルなどを使用する。
【００５３】
また、送風手段４は、ファンモータとファン駆動回路で構成されている。
【００５４】
また、静電霧化装置５は、霧化ミストを発生させるものであり、例えば、放熱面と冷却面とを有するペルチェ素子と、放熱面に熱的に接続された放熱部と、冷却面に電気絶縁材を介して熱的に設置された放電電極と、この放電電極に対し所定距離だけ離れて配置された対向電極とで構成されている。また、放電電極と、対向電極との間に高電圧を印加する放電極通電回路（図示せず）と、ペルチェ素子に通電させるペルチェ通電回路とを有する制御部（図示せず）が接続されている。
【００５５】
以上のように構成した手乾燥装置について、図１を用いて、その動作を説明する。使用者が本体１の手挿入空間１Ａに手を挿入すると、検知手段３である赤外線受光素子が、挿入された手からの赤外線を受光すると、制御手段６は手が侵入したと認識し、送風手段４であるファン駆動回路へ動作信号を送り、ファンモータが動作することによって、第１の吹き出し部２であるノズルから風が吹出し、手を乾燥する。
【００５６】
また、制御手段６が手が進入したと認識すると、静電霧化装置５に動作信号が送られ、静電霧化装置５から霧化ミストが発生する。静電霧化装置５は、送風手段４と第１の吹き出し部２の間の風路の間に設けられているので、発生した霧化ミストが、送風手段４により送り出された風とともに、第１の吹き出し部２から噴射される。その場合、霧化ミストは、第１の吹き出し部２であるノズルに付着した菌の不活性化、除菌、および脱臭を行うことができる。
【００５７】
次に、検知手段３により、手を検知しなくなると、制御手段６は、送風手段４および静電霧化装置５を、停止させる。
【００５８】
したがって、使用者が本体１の手挿入空間１Ａに手を挿入している間のみ、静電霧化装置５を動作させ、霧化ミストを発生させることで、ノズルに付着した菌の不活性化、除菌、および脱臭を行うことができる。
【００５９】
（実施の形態２）
次に、本発明の実施の形態２について図面を参照しながら説明する。なお、実施の形態１と同一のものは同一番号を付し、その詳細な説明を省略する。
【００６０】
図２に示すように、本体１の上面に、静電霧化装置５の動作を決定する操作部７を設けている。操作部７は、制御手段６に接続されており、また操作スイッチ（図示せず）、およびＬＥＤなどの表示部（図示せず）から構成されている。操作スイッチを押すことで、ＯＮ／ＯＦＦ信号が制御手段６に送られる。送られた信号により、制御手段６は上記表示部に、信号を与え、操作が成されたことを表示する。
【００６１】
操作スイッチをＯＮにすると、制御手段６は、検知手段３により、本体１の手挿入空間１Ａに手を挿入した場合に、送風手段４を動作させ、手の乾燥を行う。しかし、静電霧化装置５は一定時間、動作させないようにする。例えば、本体１の手挿入空間１Ａに手を挿入した時間を制御手段６により記憶させ、任意の時間を越えた場合に、手の乾燥と共に、静電霧化装置５を動作させ、霧化ミストを発生させ、ノズルに付着した菌の不活性化、除菌、および脱臭を行うことができる。上記のようにすることで、菌が付着していない場合には、静電霧化装置５を動作させないので、省エネを図ることができる。尚、送風手段４および静電霧化装置５は、検知手段３により、手を検知しなくなると、停止する。
【００６２】
また、静電霧化装置５を一旦動作させると、制御手段６によって記憶させた時間をリセットさせ、次の累積時間を越えるまで静電霧化装置５は動作させない。
【００６３】
（実勢の形態３）
次に、本発明の実施の形態３について説明する。なお、実施の形態１および２と同一のものは同一番号を付し、その詳細な説明を省略する。
【００６４】
図１および図２に示すように、検知手段３により、本体１の手挿入空間１Ａに挿入された手を検知した場合に、送風手段４を動作させる。また、静電霧化装置５は、制御手段６により、本体１の手挿入空間１Ａに挿入された手を検知した場合に、直ちに動作するか、一定時間経過した場合に、動作するかのどちらかである。
【００６５】
次に、検知手段３により、本体１の手挿入空間１Ａにて手を検知しなくなると、制御手段６により、静電霧化装置５は動作させたまま、直ちに送風手段４の運転状態を変化させ（例えば、送風手段４であるファンモータの動作を強運転から弱運転に切り替える）、任意の一定時間が経過すると、送風手段４と静電霧化装置５を停止させるようにする。上記のように動作させることで、本体１の手挿入空間１Ａに挿入された手の乾燥後、すなわち手を検知しなくなった場合においても、静電霧化装置５を動作させたままなので、菌の不活性化、除菌、および脱臭を行うことができる。送風手段の運転状態を変化させるのは、手を検知しなくなると、手の乾燥が必要でないため、多くの風量は必要ないためで、発生させた霧化ミストを第１の吹き出し部２にまで、到達する風量で十分なためである。
【００６６】
以上のように、制御手段６により、所定の手順で動作させることで、挿入された手の乾燥後においても、第１の吹き出し部２であるノズルに付着した菌の不活性化、除菌、および脱臭を行うことができる。
【００６７】
（実施の形態４）
次に、本発明の実施の形態４について図面を参照しながら説明する。なお、実施の形態１〜３と同一のものは同一番号を付し、その詳細な説明を省略する。
【００６８】
図３に示すように、静電霧化装置５の下方に、第２の吹き出し部８を設けている。第２の吹き出し部８は、手挿入空間１Ａ内の天面部沿うようにして、かつ奥に向けて空気吹き出すように設けている。使用者が本体１の手挿入空間１Ａに手を挿入すると、検知手段３である赤外線受光素子が、挿入された手からの赤外線を受光すると、制御手段６が手が侵入したと認識し、送風手段４であるファン駆動回路へ動作信号を送り、ファンモータが動作することによって、第１の吹き出し部２であるノズルから風が吹出し、手を乾燥する。また、第２の吹き出し部８から吹き出す風は手挿入空間１Ａの内部を風路としている。また、静電霧化装置５は送風手段４と第１の吹き出し部２および第２の吹き出し部８の間に設けられているので、静電霧化装置５から発生した霧化ミストは、第１の吹き出し部２および第２の吹き出し部８、さらに手挿入空間１Ａの本体内部に噴出することになる。従って、第１の吹き出し部２および第２の吹き出し部８、手挿入空間１Ａの本体内部に付着した菌の不活性化、除菌、および脱臭を行うことができる。
【００６９】
また、図３に示すように、第１の吹き出し部２より吹き出す風を調整するダンパー９を設け、ダンパー９を操作する第２の操作部１０を本体１の上方に配置している。第２の操作部１０を操作することで、制御手段６により、ダンパー９の開閉を行うことができる。第２の操作部１０を操作すると、検知手段３により、挿入した手を検知しなくなると、制御手段は、ダンパー９を閉じ、第１の吹き出し部２より風を吹き出さないようするとともに、送風手段４の運転状態を変化させ、任意の一定時間が経過すると、送風手段４と静電霧化装置５を停止させるようにする。上記のように動作させることで、本体１の手挿入空間１Ａに挿入された手の乾燥後、すなわち手を検知しなくなった場合において、静電霧化装置５を動作させたおり、かつ第２の吹き出し部８からのみ霧化ミストが噴出するようになるので、手挿入空間１Ａの本体内部のみの、菌の不活性化、除菌、および脱臭を行うことができる。送風手段の運転状態を変化させるのは、手を検知しなくなると、手の乾燥が必要でないため、多くの風量は必要ないためで、発生させた霧化ミストを第２の吹き出し部８より吹き出させ、手挿入空間１Ａの本体内部に行き届く風量でよいためである。
【００７０】
次に、実施の形態２で示すように、操作部７を操作することにより、制御手段６は、検知手段３により、本体１の手挿入空間１Ａに手を挿入した場合に、送風手段４を動作させ、手の乾燥を行う。しかし、静電霧化装置５は一定時間、動作させないようにする。例えば、本体１の手挿入空間１Ａに手を挿入した時間を制御手段６により記憶させ、任意の時間を越えた場合に、手の乾燥と共に、静電霧化装置５を動作させ、霧化ミストを発生させ、ノズルに付着した菌の不活性化、除菌、および脱臭を行うことができる。また、第２の操作部１０を操作していると、手を検知しなくなると、第２の吹き出し部８からのみ霧化ミストが噴出するようになるので、手挿入空間１Ａの本体内部のみの菌の不活性化、除菌、および脱臭を行うことができ、かつ菌が付着していない場合には、静電霧化装置５を動作させないので、省エネを図ることができる。
【００７１】
（実施の形態５）
次に、本発明の実施の形態５について説明する。
【００７２】
図２および図３に示す操作部７、および第２の操作部１０と同じ位置に、静電霧化装置操作部（図示せず）を設けている。静電霧化装置操作部を操作することで、手が本体１の手挿入空間１Ａに挿入されておらず、手乾燥装置が停止時の場合であっても、制御手段６により、送風手段４と、静電霧化装置を動作させるようにしている。そうすることで、使用者が任意に吹き出し部および、手挿入空間内部の菌の不活性化、除菌、および脱臭を行うことができる。
【００７３】
また、第２の操作部１０を、静電霧化装置操作部とともに操作することにより、手挿入空間内部のみの菌の不活性化、除菌、および脱臭を行うことができる。
【００７４】
（実施の形態６）
次に、本発明の実施の形態６について図面を参照しながら説明する。なお、実施の形態１〜５と同一のものは同一番号を付し、その詳細な説明を省略する。
【００７５】
図４より、第３の吹き出し部１１は、手乾燥装置の周辺に風が吹き出すように設けられている。検知手段３により、本体１の手挿入空間１Ａに挿入された手を検知すると、制御手段６は、送風手段４および静電霧化装置５を動作させ、第１の吹き出し部２および第３の吹き出し部１１より、静電ミストを噴出することができる。従って、第１の吹き出し部２および、手乾燥装置の周辺の菌の不活性化、除菌、および脱臭を行うことができる。
【００７６】
また、図４に示す操作部７、および第２の操作部１０と同じ位置に、静電霧化装置操作部（図示せず）を設けている。静電霧化装置操作部を操作することで、手が本体１の手挿入空間１Ａに挿入されておらず、手乾燥装置が停止時の場合であっても、制御手段６により、送風手段４と、静電霧化装置を動作させるようにしている。そうすることで、使用者が任意に吹き出し部および、手乾燥装置の周辺の菌の不活性化、除菌、および脱臭を行うことができる。
【産業上の利用可能性】
【００７７】
本発明の手検知乾燥装置は、濡れた手を乾燥させるためだけの装置でなく、霧化ミストを噴出する機能を設けることで、衛生面で有用であるので、衛生関係や医療関係の業務に携わる人の手が使用する手検知乾燥装置として特に有用である。
【符号の説明】
【００７８】
１    本体
１Ａ  手挿入空間
２    第１の吹き出し部
３    検知手段
４    送風手段
５    静電霧化装置
６    制御手段
７    操作部
８    第２の吹き出し部
９    ダンパー
１０  第２の操作部
【図１】
2012019809.tif 000003
【図２】
2012019809.tif 000004
【図３】
2012019809.tif 000005
【図４】
2012019809.tif 000006
【図５】
2012019809.tif 000007